(57)【要約】【課題】複数の保持器セグメントを環状に配列して構成する分割保持器を備えている転がり軸受の組み立てを容易とさせる。【解決手段】本発明は、円すいころ４を収容するポケット２４が複数形成されている保持器セグメント６を、周方向に沿って環状に複数配列して構成される分割保持器５用の治具１０である。治具１０は、内輪３の外周に沿って複数の保持器セグメント６を環状に配列した状態で、これら保持器セグメント６それぞれの外周面に当接することにより保持器セグメント６の径方向外側への移動を規制する規制部３１と、この規制部３１を内輪３に固定するための取り付け部３２とを有している。【選択図】図１
2014020507.tif 000002
【特許請求の範囲】
【請求項１】
転がり軸受の転動体を収容するポケットが複数形成されている保持器セグメントを、周方向に沿って環状に複数配列して構成されると共に、当該ポケットに収容させた当該転動体の径方向外側への移動を規制する外抱き型の分割保持器用の治具であって、
転がり軸受の内輪の外周に沿って前記複数の保持器セグメントを環状に配列した状態で、これら保持器セグメントそれぞれの外周面に当接することにより当該保持器セグメントの径方向外側への移動を規制する規制部と、
前記規制部を前記内輪に固定するための取り付け部と、
を有していることを特徴とする分割保持器用の治具。
【請求項２】
前記規制部は、周方向で隣り合う前記保持器セグメントの周方向で隣り合う両端部の外周面に当接可能である請求項１に記載の分割保持器用の治具。
【請求項３】
転がり軸受の転動体を収容するポケットが複数形成されている保持器セグメントを、周方向に沿って環状に複数配列して構成されると共に、当該ポケットに収容させた当該転動体に対して径方向外側への移動が規制される内抱き型の分割保持器用の治具であって、
転がり軸受の内輪の外周に沿って前記複数の保持器セグメントを環状に配列した状態で、これら保持器セグメントの前記ポケットに収容させた前記転動体に対して径方向外側から当接することにより、当該転動体を介して当該保持器セグメントの径方向外側への移動を規制する規制部と、
前記規制部を前記内輪に固定するための取り付け部と、
を有していることを特徴とする分割保持器用の治具。
【請求項４】
転がり軸受の転動体を収容するポケットが複数形成されている保持器セグメントを、周方向に沿って環状に複数配列して構成されると共に、当該ポケットに収容させた当該転動体の径方向外側への移動を規制する外抱き型の分割保持器用の治具であって、
転がり軸受の内輪の外周に沿って前記複数の保持器セグメントを環状に配列した状態で、周方向で隣り合う前記保持器セグメントの周方向で隣り合う両端部の外周面に当接することにより、これら保持器セグメントの径方向外側への移動を規制する規制部と、
前記規制部の径方向内方に設けられ前記両端部の内周面に当接する当接部と、
前記当接部と前記当該規制部とを連結している連結部と、を有し、
前記当接部と前記規制部とによって前記両端部を径方向から挟むことを特徴とする分割保持器用の治具。
【請求項５】
前記規制部、前記連結部及び前記当接部からなる治具本体が、前記分割保持器から軸方向にスライドして当該分割保持器から脱落するのを阻止するストッパを、更に備えている請求項４に記載の分割保持器用の治具。
【発明の詳細な説明】
【技術分野】
【０００１】
本発明は、複数の保持器セグメントを環状に配列して構成する分割保持器用の治具に関する。
【背景技術】
【０００２】
従来、水平軸プロペラ式の風力発電装置においては、ブレードを取り付ける主軸を回転自在に支持するために、転がり軸受が用いられている。近年、風力発電装置の大型化に伴って、主軸の直径が数メートルを超えることもあり、このような大型の主軸を支持するために、転がり軸受も大型化している。大型の転がり軸受に用いられる保持器として、合成樹脂製の保持器が用いられる場合があり、この合成樹脂製の保持器は、溶接で組み立てる金属製の保持器に較べて、軽量であるとともに精度も確保し易いという利点がある。
しかし、直径の大きい合成樹脂製の保持器を、射出成形で一体成形することは困難である。そこで、周方向に複数に分割した分割保持器が用いられている（例えば特許文献１参照）。この分割保持器は、複数の保持器セグメントを環状に配列して構成される。
【０００３】
図１６は、保持器セグメントの一例を示す斜視図であり、図１７は、分割保持器を備えた円すいころ軸受を示す断面図である。図１６において、保持器セグメント１００は、所定間隔離して対向させた一対の第１，第２リム部１０１，１０２と、これら第１，第２リム部１０１，１０２の間に架設した複数の柱部１０３とを有しており、隣り合う柱部１０３と第１，第２リム部１０１，１０２とによって囲まれる空間を、円すいころ１１３（図１７参照）を収容するポケット１０４として構成している。
【０００４】
図１７において、円すいころ軸受１１０は、外輪１１１と内輪１１２との間に複数の円すいころ１１３を配列し、各円すいころ１１３を、複数の保持器セグメント１００（図１６参照）からなる分割保持器１２０によって保持している。内輪１１２の外周には、各円すいころ１１３が転動する軌道面１１２ａが形成されており、この軌道面１１２ａを挟む軸方向の両側に、円すいころ１１３の端面が接触する大鍔部１１２ｂと小鍔部１１２ｃとが設けられている。
【０００５】
そして、このような円すいころ軸受１１０を風力発電装置のハウジングに組み込むためには、複数の保持器セグメント１００を、内輪１１２の外周に沿って環状に配列すると共に、これら保持器セグメント１００のポケット１０４に円すいころ１１３を設置した状態とし、保持器セグメント１００及び円すいころ１１３と共に内輪１１２を、ハウジングに装着された外輪１１１に嵌め込むことにより行われる。
【先行技術文献】
【特許文献】
【０００６】
【特許文献１】ヨーロッパ特許公報ＥＰ２２６４３２５（Ａ１）
【発明の概要】
【発明が解決しようとする課題】
【０００７】
内輪１１２の外周に沿って複数の保持器セグメント１００を環状に配列し、この保持器セグメント１００に円すいころ１１３を保持させた状態で、保持器セグメント１００及び円すいころ１１３と共に内輪１１２を、ハウジングに装着された外輪１１１に嵌め込む際、保持器セグメント１００同士は分離されていることから、保持器セグメント１００及び円すいころ１１３が内輪１１２から脱落しないようにする必要がある。このため作業が困難となり、円すいころ軸受１１０を組み立てるのに多くの工数を要するという問題があった。
【０００８】
そこで、本発明は、複数の保持器セグメントを環状に配列して構成する分割保持器を備えている転がり軸受の組み立てを容易とさせる分割保持器用の治具を提供することを目的とする。
【課題を解決するための手段】
【０００９】
本発明は、転がり軸受の転動体を収容するポケットが複数形成されている保持器セグメントを、周方向に沿って環状に複数配列して構成されると共に、当該ポケットに収容させた当該転動体の径方向外側への移動を規制する外抱き型の分割保持器用の治具であって、転がり軸受の内輪の外周に沿って前記複数の保持器セグメントを環状に配列した状態で、これら保持器セグメントそれぞれの外周面に当接することにより当該保持器セグメントの径方向外側への移動を規制する規制部と、前記規制部を前記内輪に固定するための取り付け部とを有していることを特徴とする。
【００１０】
本発明によれば、転がり軸受の内輪の外周に沿って環状に配列した保持器セグメントの径方向内側への移動は、前記内輪により規制され、また、この保持器セグメントの径方向外側への移動は、前記内輪に固定される規制部により規制され、環状に配列した複数の保持器セグメントがばらけるのを防ぐことが可能となる。また、分割保持器は外抱き型であるため、保持器セグメントのポケットに収容されている転動体もばらけるのを防ぐことが可能となる。この結果、内輪、分割保持器及び転動体を一体とすることができ、これを外輪に嵌め込めばよいため、転がり軸受の組み立てが容易となる。
【００１１】
また、前記規制部は、周方向で隣り合う前記保持器セグメントの周方向で隣り合う両端部の外周面に当接可能であるのが好ましい。
この場合、周方向で隣り合う二つの保持器セグメントの径方向外側への移動を、一つの規制部により規制することが可能となる。
【００１２】
また、本発明は、転がり軸受の転動体を収容するポケットが複数形成されている保持器セグメントを、周方向に沿って環状に複数配列して構成されると共に、当該ポケットに収容させた当該転動体に対して径方向外側への移動が規制される内抱き型の分割保持器用の治具であって、転がり軸受の内輪の外周に沿って前記複数の保持器セグメントを環状に配列した状態で、これら保持器セグメントの前記ポケットに収容させた前記転動体に対して径方向外側から当接することにより、当該転動体を介して当該保持器セグメントの径方向外側への移動を規制する規制部と、前記規制部を前記内輪に固定するための取り付け部とを有していることを特徴とする。
【００１３】
本発明によれば、転がり軸受の内輪の外周に沿って環状に配列した保持器セグメントの径方向内側への移動は、前記内輪により規制され、また、この保持器セグメントの径方向外側への移動は、前記内輪に固定される規制部により、この保持器セグメントのポケットに収容させた転動体を介して規制され、環状に配列した複数の保持器セグメント及び転動体がばらけるのを防ぐことが可能となる。この結果、内輪、分割保持器及び転動体を一体とすることができ、これを外輪に嵌め込めばよいため、転がり軸受の組み立てが容易となる。
【００１４】
また、本発明は、転がり軸受の転動体を収容するポケットが複数形成されている保持器セグメントを、周方向に沿って環状に複数配列して構成されると共に、当該ポケットに収容させた当該転動体の径方向外側への移動を規制する外抱き型の分割保持器用の治具であって、転がり軸受の内輪の外周に沿って前記複数の保持器セグメントを環状に配列した状態で、周方向で隣り合う前記保持器セグメントの周方向で隣り合う両端部の外周面に当接することにより、これら保持器セグメントの径方向外側への移動を規制する規制部と、前記規制部の径方向内方に設けられ前記両端部の内周面に当接する当接部と、前記当接部と前記当該規制部とを連結している連結部とを有し、前記当接部と前記規制部とによって前記両端部を径方向から挟むことを特徴とする。
【００１５】
本発明によれば、転がり軸受の内輪の外周に沿って環状に配列した保持器セグメントの径方向外側への移動は、規制部により規制され、また、この保持器セグメントの径方向内側への移動は、当接部により規制され、環状に配列した複数の保持器セグメントがばらけるのを防ぐことが可能となる。また、分割保持器は外抱き型であるため、保持器セグメントのポケットに収容されている転動体もばらけるのを防ぐことが可能となる。この結果、内輪、分割保持器及び転動体を一体とすることができ、これを外輪に嵌め込めばよいため、転がり軸受の組み立てが容易となる。
そして、周方向で隣り合う保持器セグメントの両端部を、当接部と規制部とによって径方向から挟むことにより、治具を簡単に分割保持器に取り付けることができる。
【００１６】
さらに、この治具は、前記規制部、前記連結部及び前記当接部からなる治具本体が、前記分割保持器から軸方向にスライドして当該分割保持器から脱落するのを阻止するストッパを、更に備えているのが好ましい。
この場合、例えば、転がり軸受の組み立て途中に、治具本体が分割保持器から軸方向にスライドして脱落するのを防ぐことができる。
【発明の効果】
【００１７】
本発明の分割保持器用の治具によれば、内輪、分割保持器及び転動体を一体とすることができ、これを外輪に嵌め込めばよいため、転がり軸受の組み立てが容易となる。
【図面の簡単な説明】
【００１８】
【図１】本発明の治具が取り付けられた転がり軸受の断面図である。
【図２】転がり軸受用の保持器を軸方向から見た概略図である。
【図３】分割保持器を構成する保持器セグメントを示す斜視図である。
【図４】治具が取り付けられた状態にある分割保持器、この分割保持器のポケットに収容されている円すいころ及び内輪を、軸方向から見た図である。
【図５】図４の分割保持器を断面として説明する説明図である。
【図６】図４の治具の変形例を示す、分割保持器等を軸方向から見た図である。
【図７】分割保持器を構成する他の保持器セグメントを示す斜視図である。
【図８】治具が取り付けられた状態にある分割保持器、この分割保持器のポケットに収容されている円すいころ及び内輪を、軸方向から見た図である。
【図９】図８の分割保持器を断面として説明する説明図である。
【図１０】図１に示す治具の変形例を示している。
【図１１】内輪及び分割保持器を軸方向から見た概略図である。
【図１２】本発明の治具が取り付けられた転がり軸受の断面図である。
【図１３】治具本体が取り付けられている分割保持器、この分割保持器のポケットに収容されている円すいころ及び内輪を、軸方向から見た図である。
【図１４】図１３の分割保持器を断面として説明する説明図である。
【図１５】図１３の治具本体の変形例を説明する説明図である。
【図１６】保持器セグメントの一例を示す斜視図である。
【図１７】分割保持器を備えた円すいころ軸受を示す断面図である。
【発明を実施するための形態】
【００１９】
以下、本発明の実施形態について説明する。
図１は、本発明の治具が取り付けられた転がり軸受の断面図であり、図２は、この転がり軸受用の保持器を軸方向から見た概略図である。図１に示す転がり軸受は、転動体として円すいころ４を複数有する円すいころ軸受１であって、例えば、風力発電装置の主軸を支持する大型のものである。
円すいころ軸受１は、外輪２と、内輪３と、これら外輪２と内輪３との間に介在する複数の円すいころ４と、これら円すいころ４を周方向について等間隔で保持する保持器とを備えている。そして、この保持器は、図２に示すように、周方向に複数に分割された分割保持器５からなり、分割保持器５は、複数の保持器セグメント６から構成されている。
【００２０】
図１において、外輪２の内周には、円すいころ４が転動する外軌道面２ａが形成されている。内輪３の外周には、外軌道面２ａと対向する位置に円すいころ４が転動する内軌道面３ａが形成されている。また、内輪３の外周部には、内軌道面３ａを挟んで軸方向両側に、大鍔部３ｂと小鍔部３ｃとが形成されている。大鍔部３ｂと小鍔部３ｃとは、径方向外側に向かって突出しており、円すいころ４の軸方向両側の端面４ａ，４ｂに接触する。
【００２１】
図３は、分割保持器５を構成する保持器セグメント６を示す斜視図である。保持器セグメント６は、軸方向から見て全体が円弧形状を有しており、これら保持器セグメント６を周方向に沿って環状に配列することにより、円環状の分割保持器５が構成される（図２参照）。
【００２２】
各保持器セグメント６は、軸方向に所定間隔離して対向させた第１リム部２１及び第２リム部２２と、これら第１，第２リム部２１，２２の相互間に架設した複数の柱部２３とを備えている。そして、隣り合う２つの柱部２３と第１，第２リム部２１，２２とによって囲まれる空間が、円すいころ４（図１参照）を収容するポケット２４として構成される。各保持器セグメント６にはポケット２４が周方向（円弧の周方向）に沿って複数形成されている。保持器セグメント６は、射出成形によって一体成形された合成樹脂製である。
【００２３】
また、図１に示すように、この分割保持器５は、円すいころ４を保持するための保持器であることから、保持器セグメント６を環状に配列して分割保持器５を組み立てた状態で、リム部２１，２２のうちの一方のリム部２１が、他方のリム部２２よりも、直径が大きくなるように構成されている。そして、保持器セグメント６の外周面は、一方のリム部２１から他方のリム部２２側に向かって縮径する円すい面として形成されている。
【００２４】
以上の構成からなる分割保持器５を備えた円すいころ軸受１を組み立てる際、複数の保持器セグメント６がばらけてしまうことが考えられる。そこで、組み立ての際、分割保持器５用の治具１０（図１参照）が用いられる。
【００２５】
〔治具（第一の実施形態）〕
治具１０は、図１及び図４に示すように、規制部３１と、取り付け部３２とを有している。図４は、治具１０が取り付けられた状態にある分割保持器５、この分割保持器５のポケット２４に収容されている円すいころ４及び内輪３を、軸方向から見た図である。図５は、図４の分割保持器５を断面として説明する説明図である。
【００２６】
なお、本実施形態の治具１０が取り付けられる分割保持器５は、外抱き型の保持器であり、円すいころ４を分割保持器５（各保持器セグメント６）の径方向内側から挿入することで、この円すいころ４をポケット２４に収容させることが可能となり、径方向外側から挿入して行うことは不可能である。これは、図３と図５に示すように、ポケット２４内の円すいころ４と接触可能となる部分である爪部２７ａが、分割保持器５（各保持器セグメント６）の外周側に設けられているためである。
このため、図５に示すように、内輪３の外周側に設置した分割保持器５（各保持器セグメント６）のポケット２４内に、内輪３の外周に沿って配設した円すいころ４が収容されている状態で、爪部２７ａは、この円すいころ４に対して径方向外側から接触することにより、円すいころ４が径方向外側へ外れるのを抑えることができる。すなわち、分割保持器５（各保持器セグメント６）に対して、円すいころ４が径方向外側へ移動するのが規制される。
【００２７】
このような型式の分割保持器５（各保持器セグメント６）のための治具１０について説明する。
図４に示すように、取り付け部３２は、内輪３の軸方向端面３ｄの周方向に沿って長く（円弧状に）形成された板形状を有している。取り付け部３２の周方向の長さと、保持器セグメント６の周方向長さとはほぼ一致している。そして、図１と図４に示すように、この取り付け部３２は、内輪３に固定される部材であり、内輪３の軸方向端面３ｄ側においてボルト８によって固定される。
【００２８】
規制部３１は、取り付け部３２と一体に形成されており、取り付け部３２の周方向両側部から径方向外側へ延び、円すいころ４の軸方向へと折れ曲がった形状を有している。この規制部３１は、保持器セグメント６の外周面に当接することができ、これにより、この保持器セグメント６の径方向外側への移動が規制される。規制部３１が当接する、保持器セグメント６の領域は、リム部２１を超えて柱部２３の途中部に達する（図１参照）。つまり、規制部３１は、柱部２３の軸方向端部から軸方向中央部にわたる範囲と当接する延伸部３１ａを有している。規制部３１（延伸部３１ａ）の幅（周方向の寸法）は、柱部２３の幅と同等に設定されている。
【００２９】
さらに、図５において、右側に記載の規制部３１は、周方向で隣り合う保持器セグメント６ａ，６ｂの間（図５の矢印Ｐ１）を跨いで設けられており、これら保持器セグメント６ａ，６ｂの周方向で隣り合う両端部７ａ，７ｂの外周面に当接可能である。また、左側に記載の規制部３１は、周方向で隣り合う保持器セグメント６ｂ，６ｃの間（図５の矢印Ｐ２）を跨いで設けられており、これら保持器セグメント６ｂ，６ｃの周方向で隣り合う両端部７ａ，７ｃの外周面に当接可能である。
このように保持器セグメント６（６ｂ）の端部（７ｂ）の外周面に規制部３１を当接可能とさせるために、図３に示すように、保持器セグメント６ｂの周方向両側の端部７ｂに、周方向に向かって突出する突起部９が形成されており、この突起部９の外周面に規制部３１が当接する。
【００３０】
なお、図４では、一つの治具１０が内輪３に取り付けられている状態を示しているが、全ての保持器セグメント６についての径方向外側への移動を規制するためには、この治具１０を、内輪３に複数取り付ける必要がある（図２参照）。治具１０の数は、保持器セグメント６の数の半分となり、本実施形態では、保持器セグメント６が１２個に対して、治具１０が６個必要となる。
【００３１】
〔治具１０（第一の実施形態の変形例）〕
図４に示す治具１０は、周方向に長い一つの取り付け部３２に対して、二つの規制部３１が設けられているが、図６に示すように、一つの取り付け部３２に対して、一つの規制部３１が設けられている治具１０であってもよい。この場合、治具１０の数は、保持器セグメント６の数と同数が必要となる。なお、この図６に示す治具１０を、円すいころ軸受１の周方向から見た形状は、図１に示す治具１０と同じである。
【００３２】
以上のように、本実施形態（図４、図６）に係る治具１０の取り付け部３２は、規制部３１を内輪３に固定することができる。そして、内輪３の外周に沿って複数の保持器セグメント６を環状に配列した状態で、内輪３に対して取り付け部３２により固定された規制部３１は、これら保持器セグメント６の一部（端部）の外周面に当接することにより、この保持器セグメント６の径方向外側への移動を規制することができる。
【００３３】
したがって、内輪３の外周に沿って環状に配列した保持器セグメント６の径方向外側への移動は、この内輪３に固定された規制部３１により規制され、また、この保持器セグメント６の径方向内側への移動は、内輪３により規制され、環状に配列した複数の保持器セグメント６がばらけるのを防ぎ、これら保持器セグメント６を有する分割保持器５の一体性を確保することが可能となる。つまり、治具１０によって分割保持器５を拘束することが可能となる。さらに、この治具１０によれば、保持器セグメント６の脱落防止が可能となると共に、前記爪部２７ａ（図５参照）により円すいころ４の脱落防止も可能となる。
この結果、内輪３、円すいころ４及び分割保持器５を一体化することができ、円すいころ４に外輪２を外接させる作業、つまり、内輪３、円すいころ４及び分割保持器５を、外輪２の内周に組み込む作業が容易となる。
【００３４】
また、図５に示すように、一つの規制部３１が周方向で隣り合う保持器セグメント６ａ，６ｂ（６ｂ，６ｃ）の間を跨いで設けられていることで、これら隣り合う二つの保持器セグメント６ａ，６ｂ（６ｂ，６ｃ）の径方向外側への移動を、一つの規制部３１によって規制することが可能となる。
【００３５】
〔治具（第二の実施形態）〕
図８に示すように、治具５０は、規制部５１と、取り付け部５２とを有している。
なお、この第二の実施形態の治具５０が取り付けられる分割保持器５の保持器セグメントを、図７に示す。この保持器セグメント４６は、図３に示す保持器セグメント６と同様に、軸方向から見て全体が円弧形状を有しており、これら保持器セグメント４６を周方向に沿って環状に配列することにより、円環状の分割保持器５が構成される。
また、この保持器セグメント４６は、図３に示す保持器セグメント６と同様に、第１リム部２１、第２リム部２２、柱部２３とを備えており、隣り合う２つの柱部２３と第１，第２リム部２１，２２とによって囲まれる空間が、円すいころ４（図１参照）を収容するポケット２４として構成される。
【００３６】
しかし、図７に示す保持器セグメント４６は、図３に示す保持器セグメント６と比べて、円すいころ４の取り付け方法が異なる。つまり、図７の場合、分割保持器５は、内抱き型の保持器であり、円すいころ４を分割保持器５（各保持器セグメント４６）の径方向外側から挿入することで、この円すいころ４をポケット２４に収容させることが可能となり、径方向内側から挿入して行うことは不可能である。これは、図７と図９に示すように、ポケット２４内の円すいころ４と接触可能となる部分である爪部２７ｂが、分割保持器５（各保持器セグメント４６）の内周側に設けられているためである。
このため、図９に示すように、内輪３の外周側に設置した分割保持器５（各保持器セグメント４６）のポケット２４内に、内輪３の外周に沿って配設した円すいころ４が収容されている状態で、「各円すいころ４の径方向の移動が規制された状態にあれば、」爪部２７ｂが、この円すいころ４に対して径方向内側から接触することにより、分割保持器５（各保持器セグメント４６）が径方向外側へ外れるのを抑えることができる。すなわち、ポケット２４に収容させた円すいころ４に対して、分割保持器５（各保持器セグメント４６）が径方向外側へ移動するのが規制される。
【００３７】
このような型式の分割保持器５（各保持器セグメント４６）のための治具５０について説明する。
図８に示すように、取り付け部５２は、図４に示す取り付け部３２と同様の形状を有しており、さらに、内輪３にボルト８によって固定される。
規制部５１は、複数設けられており（図８では５本設けられており）、各規制部５１は取り付け部５２と一体に形成されている。各規制部５１は、取り付け部５２の径方向外側部からさらに径方向外側へ延び、円すいころ４の軸方向へと折れ曲がった形状を有している。なお、この規制部５１の折れ曲がり形状は、図１に示す治具１０の規制部３１と同様である。
【００３８】
そして、各規制部５１は、図９に示すように、保持器セグメント４６のポケット２４に収容させた円すいころ４に対して径方向外側から当接することにより、この円すいころ４を介して、保持器セグメント４６の径方向外側への移動を規制する。すなわち、この規制部５１は、内輪３の外周に配列させた円すいころ４の径方向外側への移動を規制することができ、前記「円すいころ４の径方向の移動が規制された状態にあれば、」という条件を、この規制部５１によって実現している。
【００３９】
また、図８では、一つの治具５０が内輪３に取り付けられている状態を示しているが、全ての保持器セグメント４６についての径方向外側への移動を規制するためには、この治具５０を内輪３に複数取り付ける必要があり、保持器セグメント４６と同数の治具５０が必要となる。
【００４０】
以上のように、本実施形態に係る治具５０の取り付け部５２は、図８に示すように、規制部５１を内輪３に固定することができる。そして、この内輪３の外周に沿って複数の保持器セグメント４６を環状に配列した状態で、これら保持器セグメント４６のポケット２４に収容させた円すいころ４に対して、規制部５１が、径方向外側から当接することにより、この円すいころ４を介して保持器セグメント４６の径方向外側への移動を規制することができる。
【００４１】
したがって、内輪３の外周に沿って環状に配列した保持器セグメント４６の径方向外側への移動は、この内輪３に固定された規制部５１により、この保持器セグメント４６のポケット２４に収容させた円すいころ４を介して規制され、また、この保持器セグメント４６の径方向内側への移動は、内輪３により規制され、環状に配列した複数の保持器セグメント６がばらけるのを防ぎ、これら保持器セグメント６を有する分割保持器５の一体性を確保することが可能となる。つまり、治具５０によって分割保持器５を拘束することが可能となる。さらに、分割保持器５が、ポケット２４に収容させた円すいころ４がこのポケット２４から径方向外側に脱落する型式であっても、この治具５０によれば、円すいころ４の脱落防止と共に、保持器セグメント６の脱落防止が可能となる。
【００４２】
〔治具１０及び治具５０それぞれの変形例〕
図４と図８に示した治具１０，５０の取り付け部３２，５２は、直接的に、内輪３にボルト８によって固定されている。
図１０は、図１に示す治具１０の変形例を示している。この治具１０の取り付け部３２の形状は、図４に示したものと同様であるが、取り付け部３２は、補助リング１３を介して、内輪３に固定されている。つまり、６個の治具１０それぞれはボルト８によって、補助リング１３に固定される。この場合、補助リング１３に形成するボルト８用のボルト孔１４ａは１２個となる。
【００４３】
そして、内輪３の軸方向端面３ｄには、このボルト８用のボルト孔１４ａよりも少ない数のボルト孔１４ｂが形成されている。本実施形態では、周方向について等間隔に、４個のボルト孔１４ｂが形成されており、補助リング１３は４本のボルト１５（図１１参照）をこれらボルト孔１４ｂに螺合させ、補助リング１３を内輪３に固定している。
このように補助リング１３を用いることで、内輪３に形成するボルト孔の数を、図１に示す治具１０の場合よりも減らすことが可能となる（１２個→４個）。なお、この補助リング１３は、図８に示す治具５０についても適用可能である。
【００４４】
〔治具（第三の実施形態）〕
図１２に示すように、治具本体６０は、規制部６１、当接部６２及び連結部６３を有している。この治具本体６０は、細長い帯状の板部材を、折り曲げてＵピン（Ｕ字ピン）の如く構成したものであり、これら規制部６１、当接部６２及び連結部６３は、一体ものとして形成されている。なお、本実施形態の治具本体６０が取り付けられる分割保持器は、図３に示す保持器セグメント６を環状に配列して構成する外抱き型の分割保持器５である。
図１３は、治具本体６０が取り付けられている分割保持器５、この分割保持器５のポケット２４に収容されている円すいころ４及び内輪３を、軸方向から見た図である。図１４は、図１３の分割保持器５を断面として説明する説明図である。
【００４５】
規制部６１は、図１２に示すように、円すいころ４の軸方向に平行な方向に長い部分である。そして、図１３と図１４に示すように、内輪３の外周に沿って複数の保持器セグメント６（６ａ，６ｂ，６ｃ・・・）を環状に配列した状態で、規制部６１は、周方向で隣り合う保持器セグメント６ａ，６ｂの間（図１４の矢印Ｐ）を跨いで設けられており、これら保持器セグメント６ａ，６ｂの周方向で隣り合う両端部７ａ，７ｂの外周面に当接する。この規制部６１が当接する保持器セグメント６の領域は、リム部２１を超えて柱部２３のほぼ全長に達する（図１２参照）。つまり、規制部６１は、柱部２３のほぼ全長にわたる範囲と当接する延伸部６１ａを有している。
【００４６】
当接部６２は、規制部６１の径方向内方に設けられており、周方向で隣り合う両端部７ａ，７ｂの内周面に当接する部分である。この当接部６２は、円すいころ４の軸方向に沿って長く形成されており、本実施形態では、当接部６２は、規制部６１と同等の長さを有している（図１２参照）。
連結部６３は、当接部６２と規制部６１とを連結している部分である。この連結部６３は、図１２に示すように、分割保持器５の径方向寸法と同等の長さを有しており、当接部６２と規制部６１との径方向における間隔は、両端部７ａ，７ｂの径方向寸法と一致している。
【００４７】
この治具本体６０によれば、周方向で隣り合う保持器セグメント６ａ，６ｂの両端部７ａ，７ｂを、規制部６１と当接部６２とによって径方向から挟むことにより、治具本体６０を分割保持器５に取り付けることが可能となる。
図１２に示すように、規制部６１と当接部６２との間には開口が形成されていることから、両端部７ａ，７ｂ（図１４参照）に対して、この開口から治具本体６０をスライドさせることにより、この治具本体６０を分割保持器５（両端部７ａ，７ｂ）に取り付けることが可能となる。
【００４８】
以上より、内輪３の外周に沿って複数の保持器セグメント６（６ａ，６ｂ，６ｃ・・・）を環状に配列した状態で、この治具本体６０が、隣り合う保持器セグメント（６ａ，６ｂ）間に設けられることにより、規制部６１は、これら保持器セグメント（６ａ，６ｂ）の周方向で隣り合う両端部（７ａ，７ｂ）の外周面に当接することにより、これら保持器セグメント（６ａ，６ｂ）の径方向外側への移動を規制することができる。
これと共に、当接部６２は、隣り合う両端部（７ａ，７ｂ）の内周面に当接することにより、これら保持器セグメント（６ａ，６ｂ）の径方向内側への移動を規制することができる。
【００４９】
なお、図１３に示すように、治具本体６０は、隣り合う保持器セグメント毎に設けられており、保持器セグメント６ａ，６ｂのみならず、保持器セグメント６ｂ，６ｃの間、更には、他の保持器セグメント間にも設けられている。つまり、全ての保持器セグメント６についての径方向の移動を規制するために、治具本体６０は、保持器セグメント６と同数が必要となる。
【００５０】
これにより、内輪３の外周に沿って環状に配列した保持器セグメント６（６ａ，６ｂ，６ｃ・・・）の径方向外側への移動は、規制部６１により規制され、また、この保持器セグメント６（６ａ，６ｂ，６ｃ・・・）の径方向内への移動は、当接部６２により規制され、環状に配列した複数の保持器セグメント６（６ａ，６ｂ，６ｃ・・・）がばらけるのを防ぎ、これら保持器セグメント６（６ａ，６ｂ，６ｃ・・・）を有する分割保持器の一体性を確保することが可能となる。つまり、治具本体６０によって、隣り合う保持器セグメント６を連結することができ、複数の保持器セグメント６からなる分割保持器５を拘束することが可能となる。さらに、この治具本体６０によれば、保持器セグメント６の脱落防止が可能となると共に、前記爪部２７ａ（図１４参照）により円すいころ４の脱落防止も可能となる。
この結果、内輪３、円すいころ４及び分割保持器５を一体化することができ、円すいころ４に外輪２を外接させる作業、つまり、内輪３、円すいころ４及び分割保持器５を、外輪２の内周に組み込む作業が容易となる。
【００５１】
なお、前記のとおり、規制部６１と当接部６２との間に形成されている開口から、隣り合う保持器セグメント６ａ，６ｂの両端部７ａ，７ｂに対してスライドさせることにより、治具本体６０を分割保持器５に取り付けることが可能であるが、この治具本体６０を、分割保持器５に取り付けてから、図１２に示すように、治具本体６０の脱落防止用のストッパ６５を内輪３に取り付けるのが好ましい。
このストッパ６５によれば、治具本体６０が、分割保持器５から軸方向（図１２の右側）にスライドして分割保持器５から脱落するのを阻止することが可能となり、円すいころ軸受の組み立てがより一層容易となる。
【００５２】
〔治具本体６０の変形例〕
図１５は、図１２に示す治具本体６０の変形例を示す説明図であり、図１５（ａ）（ｂ）（ｃ）それぞれは、周方向で隣り合う保持器セグメント６ａ，６ｂの端部に存在している柱部２３ａ，２３ｂ、治具本体６０、及び、円すいころ４を示しており、円すいころ４の軸方向から見た図である。
【００５３】
図１５（ａ）に示すように、規制部６１は、幅方向（分割保持器５の周方向）に二分割されており、また、当接部６２も、幅方向に二分割されている。そして、規制部６１の分割片６１ａ，６１ｂは、柱部２３ａ，２３ｂの外周側を幅方向両側から挟んでおり、当接部６２の分割片６２ａ，６２ｂは、柱部２３ａ，２３ｂの内周側を幅方向両側から挟んでおり、これら柱部２３ａ，２３ｂを連結している。なお、この治具本体６０の場合、規制部６１は、保持器セグメント６のリム部２１の外周面に当接可能であり、当接部６２は、このリム部２１の内周面に当接可能である。
【００５４】
図１５（ｂ）では、柱部２３ａ，２３ｂの外周側の一部に溝２９が形成されている。そして、図１５（ａ）の場合と同様に、規制部６１は二分割されている。そして、この溝２９に規制部６１の分割片６１ａ，６１ｂを嵌め入れる。また、当接部６２も二分割されており、当接部６２の分割片６２ａ，６２ｂは、柱部２３ａ，２３ｂの内周側を幅方向両側から挟んでいる。以上より、柱部２３ａ，２３ｂは連結される。なお、この治具本体６０の場合、規制部６１は、保持器セグメント６の柱部２３ａ，２３ｂの外周面に当接可能であり、当接部６２は、保持器セグメント６のリム部２１の内周面に当接可能である。
【００５５】
図１５（ｃ）では、柱部２３ａ，２３ｂの外周側の一部及び内周面の一部に溝３０が形成されている。そして、図１５（ａ）の場合と同様に、規制部６１は二分割されており、また、当接部６２も二分割されている。外周側の溝３０に規制部６１の分割片６１ａ，６１ｂを嵌め入れ、内周側の溝３０に当接部６２の分割片６２ａ，６２ｂを嵌め入れる。以上より、柱部２３ａ，２３ｂは連結される。なお、この治具本体６０の場合、規制部６１は、保持器セグメント６の柱部２３ａ，２３ｂの外周面に当接可能であり、当接部６２は、柱部２３ａ，２３ｂの内周面に当接可能である。
【００５６】
〔円すいころ軸受の組み立て方法〕
複数の保持器セグメントからなる分割保持器５を備えている円すいころ軸受１を、前記各実施形態に係る治具を用いて組み立てる方法について説明する。なお、各治具の形態は異なるが、円すいころ軸受１の組み立て方法は共通している。そこで、図１に示す治具１０を参考にして説明する。
【００５７】
まず、内輪３の外周に沿って複数の保持器セグメント６を環状に配列した分割保持器５によって、内輪３の外周側（内軌道面３ａ）に設けた複数の円すいころ４を保持させ、さらに、この分割保持器５がばらけるのを治具（１０）によって防ぐ（第一工程）。
なお、この第一工程において、分割保持器５を構成する保持器セグメントが、図３に示す形態（外抱き型の分割保持器５）の場合、内輪３の内軌道面３ａに先に円すいころ４を配列し、その後、各円すいころ４が一つのポケット２４に収容されるように分割保持器５を内輪３の外周に沿って設け、この分割保持器５を治具によって拘束した状態とする。
これに対して、保持器セグメントが、図７に示す形態（内抱き型の分割保持器５）の場合、内輪３の外周に沿って分割保持器５を設けると共に、この分割保持器５の各ポケット２４に円すいころ４を装着してから、この分割保持器５を治具によって拘束した状態とする。
この第一工程によれば、治具によって分割保持器５を拘束することができ、内輪３、円すいころ４及び分割保持器５を一体とすることができる。
【００５８】
次の第二工程では、分割保持器５によって保持されている複数の円すいころ４に、外輪２を外接させる。つまり、内輪３、円すいころ４及び分割保持器５を、外輪２に組み入れる。このように内輪３、円すいころ４及び分割保持器５を、外輪２に組み入れる作業は、第一工程において、これら内輪３、円すいころ４及び分割保持器５が一体化されていることから、容易となる。
そして、この第二工程において、円すいころ４に外輪２を外接させると、治具を内輪３又は分割保持器５から取り外す。
【００５９】
以上のように、前記各実施形態に係る治具によれば、保持器セグメント６がばらけるのを防ぎ、複数の保持器セグメント６を有する分割保持器５の一体性を確保することが可能となる。そして、この治具を用いて行う円すいころ軸受の組み立て方法によれば、保持器セグメント６がばらけるのを防いで分割保持器５を環状に維持することができ、さらに、内輪３、円すいころ４及び分割保持器５からなる半製品を一体とすることができるので、この一体とした半製品（内輪３、円すいころ４及び分割保持器５）を、外輪２に組み入れる作業が容易となる。
つまり、このような円すいころ軸受を、主軸とハウジングとの間に組み入れる作業は、内輪３の外周に沿って環状に配列した複数の保持器セグメント６のポケット２４に、円すいころ４を設置した半製品とし、この半製品の内輪３をシャフトに外嵌させ、これを、ハウジングに先に組み込んだ外輪２に嵌め入れることにより行われるが、前記各実施形態に係る治具によれば、保持器セグメント６等がばらけるのを防いで半製品を一体とすることができ、主軸とハウジングとを有する機器に、円すいころ軸受を組み入れる作業が容易となる。
【００６０】
また、本発明の分割保持器用の治具は、図示する形態に限らず本発明の範囲内において他の形態のものであってもよく、前記実施形態では、転がり軸受を、円すいころ軸受として説明したが、円筒ころ軸受であってもよく、この場合においても前記のような各実施形態に係る治具を用いることが可能である。
【符号の説明】
【００６１】
１：円すいころ軸受（転がり軸受）    ３：内輪    ４：円すいころ（転動体）    ５：分割保持器    ６：保持器セグメント    ７ａ：端部    ７ｂ：端部    １０：治具    ２４：ポケット    ３１：規制部    ３２：取り付け部    ４６：保持器セグメント    ５０：治具    ５１：規制部    ５２：取り付け部    ６０：治具本体    ６１：規制部    ６２：当接部    ６３：連結部    ６５：ストッパ
【図１】
2014020507.tif 000003
【図２】
2014020507.tif 000004
【図３】
2014020507.tif 000005
【図４】
2014020507.tif 000006
【図５】
2014020507.tif 000007
【図６】
2014020507.tif 000008
【図７】
2014020507.tif 000009
【図８】
2014020507.tif 000010
【図９】
2014020507.tif 000011
【図１０】
2014020507.tif 000012
【図１１】
2014020507.tif 000013
【図１２】
2014020507.tif 000014
【図１３】
2014020507.tif 000015
【図１４】
2014020507.tif 000016
【図１５】
2014020507.tif 000017
【図１６】
2014020507.tif 000018
【図１７】
2014020507.tif 000019